(57)【要約】【課題】照明装置及び照明制御システムを提供する。【解決手段】本発明の照明装置は、電源変換モジュールと、発光モジュールと、無線受信モジュールと、有線受信モジュールとを備える。電源変換モジュールは電源入力信号を受信させる。有線受信モジュールは有線制御モジュールから伝送された第一制御信号を受信して変換させ、且つ変換後の第一制御信号を電源変換モジュールに伝送させる。発光モジュールは電源変換モジュールに連結される。無線受信モジュールは分離して前記電源変換モジュールに連結され、無線受信モジュールは無線制御モジュールから無線伝送技術により伝送された第二制御信号を受信して変換させ、且つ変換後の第二制御信号を電源変換モジュールに伝送させる。また、電源変換モジュールは電源入力信号により発光モジュール及び無線受信モジュールを駆動させ、且つ変換後の第一制御信号及び変換後の第二制御信号に基づいて発光モジュールの発光状態の調整を行う。【選択図】図１
2016096145.tif 000002
【特許請求の範囲】
【請求項１】
電源入力信号を受信させるための電源変換モジュールと、
前記電源変換モジュールに連結される発光モジュールと、
分離して前記電源変換モジュールに連結され、無線制御モジュールにより無線伝送技術を用いて伝送された第二制御信号を受信して前記第二制御信号を変換させ、変換後の前記第二制御信号を前記電源変換モジュールに伝送させる無線受信モジュールと、
前記電源変換モジュールに連結され、有線制御モジュールを用いて伝送された第一制御信号を受信して前記第一制御信号を変換させ、且つ変換後の前記第一制御信号を前記電源変換モジュールに伝送させる有線受信モジュールと、
を備え、
前記電源変換モジュールは前記電源入力信号により前記発光モジュール及び前記無線受信モジュールを駆動させ、変換後の前記第一制御信号及び変換後の前記第二制御信号に基づいて前記発光モジュールの発光状態の調整を行うことを特徴とする照明装置。
【請求項２】
前記発光モジュールはガス放電ランプであることを特徴とする、請求項１に記載の照明装置。
【請求項３】
前記電源変換モジュールは電子安定器であることを特徴とする、請求項２に記載の照明装置。
【請求項４】
前記ガス放電ランプは、水銀ランプと、メタルハライドランプと、ナトリウムランプと、蛍光灯と、キセノンランプとを含むことを特徴とする、請求項２に記載の照明装置。
【請求項５】
前記発光モジュールは発光ダイオードランプであることを特徴とする、請求項１に記載の照明装置。
【請求項６】
前記電源変換モジュールは発光ダイオードドライバであることを特徴とする、請求項５に記載の照明装置。
【請求項７】
前記電源変換モジュールは処理ユニット及び電源回路ユニットを備え、前記電源回路ユニットは前記電源入力信号を受信させて前記処理ユニット、前記発光モジュール及び前記無線受信モジュールを駆動させ、前記処理ユニットは変換後の前記第一制御信号及び変換後の前記第二制御信号を受信させ、且つ変換後の前記第一制御信号及び変換後の前記第二制御信号に基づいて前記電源回路ユニットにより前記発光モジュールの発光状態の調整を行うことを特徴とする、請求項１に記載の照明装置。
【請求項８】
前記処理ユニットはマイクロコントローラーであることを特徴とする、請求項７に記載の照明装置。
【請求項９】
前記無線受信モジュールはコネクタにより前記電源変換モジュールに連結されることを特徴とする、請求項１に記載の照明装置。
【請求項１０】
前記コネクタはユニバーサルシリアルバス(Universal Serial Bus、USB)インターフェースを含むことを特徴とする、請求項１に記載の照明装置。
【請求項１１】
前記無線伝送技術は、赤外線と、レーザーと、ブルートゥース(Bluetooth（登録商標）)と、ジグビー(Zigbee（登録商標）)と、ＷｉＦｉとを含むことを特徴とする、請求項１に記載の照明装置。
【請求項１２】
電源変換モジュールと、発光モジュールと、無線受信モジュールと、有線受信モジュールとを含み、前記電源変換モジュールは電源入力信号を受信させると共に前記発光モジュール、前記無線受信モジュール及び前記有線受信モジュールに連結される照明装置と、
前記有線受信モジュールに連結され、且つ第一制御信号を前記有線受信モジュールに伝送させ、前記有線受信モジュールにより前記第一制御信号を変換させると共に変換後の前記第一制御信号を前記電源変換モジュールに伝送させる有線制御モジュールと、
無線伝送技術により第二制御信号を伝送させ、前記無線受信モジュールにより受信して前記第二制御信号を変換させ、且つ変換後の前記第二制御信号を前記電源変換モジュールに伝送させる無線制御モジュールと、
を備え、
前記電源変換モジュールは前記電源入力信号により前記発光モジュール及び前記無線受信モジュールを駆動させ、変換後の前記第一制御信号及び変換後の前記第二制御信号に基づいて前記発光モジュールの発光状態の調整を行うことを特徴とする照明制御システム。
【請求項１３】
前記発光モジュールはガス放電ランプであることを特徴とする、請求項１２に記載の照明制御システム。
【請求項１４】
前記電源変換モジュールは電子安定器であることを特徴とする、請求項１３に記載の照明制御システム。
【請求項１５】
前記ガス放電ランプは、水銀ランプと、メタルハライドランプと、ナトリウムランプと、蛍光灯と、キセノンランプとを含むことを特徴とする、請求項１３に記載の照明制御システム。
【請求項１６】
前記発光モジュールは発光ダイオードランプであることを特徴とする、請求項１２に記載の照明制御システム。
【請求項１７】
前記電源変換モジュールは発光ダイオードドライバであることを特徴とする、請求項１６に記載の照明制御システム。
【請求項１８】
前記電源変換モジュールは処理ユニット及び電源回路ユニットを備え、前記電源回路ユニットは前記電源入力信号を受信させて前記処理ユニット、前記発光モジュール及び前記無線受信モジュールを駆動させ、前記処理ユニットは変換後の前記第一制御信号及び変換後の前記第二制御信号を受信させ、且つ変換後の前記第一制御信号及び変換後の前記第二制御信号に基づいて前記発光モジュールの発光状態の調整を行うことを特徴とする、請求項１２に記載の照明制御システム。
【請求項１９】
前記処理ユニットはマイクロコントローラーであることを特徴とする、請求項１８に記載の照明制御システム。
【請求項２０】
前記無線受信モジュールはコネクタにより分離して前記電源変換モジュールに連結されることを特徴とする、請求項１２に記載の照明制御システム。
【請求項２１】
前記コネクタはユニバーサルシリアルバス(Universal Serial Bus、USB)インターフェースを含むことを特徴とする、請求項１２に記載の照明制御システム。
【請求項２２】
前記無線伝送技術は、赤外線と、レーザーと、ブルートゥースと、ジグビー(Zigbee（登録商標）)と、ＷｉＦｉとを含むことを特徴とする、請求項１２に記載の照明制御システム。
【発明の詳細な説明】
【技術分野】
【０００１】
本発明は、有線伝送或いは無線伝送方式により制御信号が伝送されて照明装置の発光状態の制御を行う有線／無線照明装置に関する。なお、本発明はさらに、照明装置を備える照明制御システムに関する。
【背景技術】
【０００２】
大部分の一般的なオフィスビル、工場或いは住宅の照明制御には、通常有線照明制御システムが用いられており、壁面に設置される照明スイッチにより照明装置の制御を行う。このため、使用者が特定の位置の照明装置のスイッチの入れ切りや、光線の大きさの調節を行う場合、前記照明装置のスイッチの位置まで歩いていけば、前記照明のスイッチを素早く操作できる。
【先行技術文献】
【特許文献】
【０００３】
【特許文献１】アメリカ特許出願第８１１０９９６号明細書
【発明の概要】
【発明が解決しようとする課題】
【０００４】
しかしながら、前述した従来の技術では、即ち、前述の方式では照明装置を素早く操作可能ではあるが、ただし、照明装置の数量が多く、且つ面積の広い場所で異なる位置にばらばらに設置されている場合、使用者にとっては短時間で大量の照明装置を制御するのは難しく、よって、有線照明制御システムは上述の状況では、極めて不便である。
また、以上の従来技術の課題を解決する為に、無線照明制御システムも発明された。例えば、特許文献１に記載されているモジュール化したワイヤレス照明制御システム(Modular wireless lighting control system)は、中央制御コンピューターにより無線ネットワークを用いて制御信号が複数の無線送受信機に伝送され、これにより建築物内の全ての照明装置の制御を行う。この無線照明制御システムには複雑な配線が不要であり、且つ大量の照明装置を素早く制御でき、上述の有線照明制御システムの欠点を有効的に改善可能である。ただし、前述の無線照明制御システムは、無線ネットワークを利用して制御信号が伝送されるが、無線ネットワークは不安定になりやすく、万一無線ネットワークが断線した場合、使用者は照明装置を完全に制御不能になる。ゆえに、無線照明制御システムは信頼性を改善させねばならない。
【０００５】
なお、無線照明制御システムの実用性には商機がある。例えば、一般的には、使用者は帰宅後、壁面に設置された照明スイッチにより直接家中の照明装置を点灯する習慣があり、上述の状況において、携帯電話或いはパソコン等の無線制御裝置により家中の照明装置の操作を行うのは、煩雑で不便である。使用者が就寝の準備をする場合に、無線制御裝置を使用して１度で家中の点灯する全ての照明装置を消灯させる。よって、無線照明制御システムのみを有する住宅では、一般的な使用者の使用習慣に符合せず、さらなる改良を加えねば使用者の需要を満たせない。上述のように、有線照明制御システム及び無線照明制御システムは共に各々長所を有するが、ただし、両者共に改善が必要な欠点も存在する。
【０００６】
そこで、本発明者は上記の欠点が改善可能と考え、鋭意検討を重ねた結果、合理的かつ効果的に課題を改善する本発明の提案に到った。換言すれば、有線照明制御システム及び無線照明制御システムの両方の長所を兼ね備える。
本発明は、以上の従来技術の課題を解決する為になされたものである。即ち、本発明は、従来の技術による照明制御システムの不便さ、安定性の欠如、及び実用性の不足等の問題を解決させる照明装置及び照明制御システムを提供することを主目的とする。
【課題を解決するための手段】
【０００７】
上述した課題を解決し、目的を達成するために、本発明に係る照明装置は、電源入力信号を受信させるための電源変換モジュールと、前記電源変換モジュールに連結される発光モジュールと、分離して前記電源変換モジュールに連結され、無線制御モジュールにより無線伝送技術を用いて伝送された第二制御信号を受信して前記第二制御信号を変換させ、変換後の前記第二制御信号を前記電源変換モジュールに伝送させる無線受信モジュールと、前記電源変換モジュールに連結され、有線制御モジュールを用いて伝送された第一制御信号を受信して前記第一制御信号を変換させ、且つ変換後の前記第一制御信号を前記電源変換モジュールに伝送させる有線受信モジュールと、を備え、前記電源変換モジュールは前記電源入力信号により前記発光モジュール及び前記無線受信モジュールを駆動させ、変換後の前記第一制御信号及び変換後の前記第二制御信号に基づいて前記発光モジュールの発光状態の調整を行うことを特徴とする。
【０００８】
さらに、本発明の好ましい実施形態によれば、本発明に係る照明システムは、電源変換モジュールと、発光モジュールと、無線受信モジュールと、有線受信モジュールとを含み、前記電源変換モジュールは電源入力信号を受信させると共に前記発光モジュール、前記無線受信モジュール及び前記有線受信モジュールに連結される照明装置と、前記有線受信モジュールに連結され、且つ第一制御信号を前記有線受信モジュールに伝送させ、前記有線受信モジュールにより前記第一制御信号を変換させると共に変換後の前記第一制御信号を前記電源変換モジュールに伝送させる有線制御モジュールと、無線伝送技術により第二制御信号を伝送させ、前記無線受信モジュールにより受信して前記第二制御信号を変換させ、且つ変換後の前記第二制御信号を前記電源変換モジュールに伝送させる無線制御モジュールと、を備え、前記電源変換モジュールは前記電源入力信号により前記発光モジュール及び前記無線受信モジュールを駆動させ、変換後の前記第一制御信号及び変換後の前記第二制御信号に基づいて前記発光モジュールの発光状態の調整を行うことを特徴とする。
【０００９】
本発明の好ましい実施形態において、発光モジュールはガス放電ランプである。
本発明の好ましい実施形態において、電源変換モジュールは電子安定器である。
本発明の好ましい実施形態において、ガス放電ランプは、水銀ランプと、メタルハライ  ドランプと、ナトリウムランプと、蛍光灯と、キセノンランプとを含む。
本発明の好ましい実施形態において、発光モジュールは発光ダイオードランプである。
【００１０】
本発明の好ましい実施形態において、電源変換モジュールは発光ダイオードドライバである。
本発明の好ましい実施形態において、電源変換モジュールは処理ユニット及び電源回路ユニットを備え、前記電源回路ユニットは前記電源入力信号を受信させて前記処理ユニット、前記発光モジュール及び前記無線受信モジュールを駆動させ、前記処理ユニットは変換後の前記第一制御信号及び変換後の前記第二制御信号を受信させ、且つ変換後の前記第一制御信号及び変換後の前記第二制御信号に基づいて前記電源回路ユニットにより前記発光モジュールの発光状態の調整を行う。
【００１１】
本発明の好ましい実施形態において、処理ユニットはマイクロコントローラーである。
本発明の好ましい実施形態において、無線受信モジュールはコネクタにより前記電源変換モジュールに連結される。
本発明の好ましい実施形態において、コネクタはユニバーサルシリアルバス(Universal Serial Bus、USB)インターフェース等を含む。
【００１２】
本発明の好ましい実施形態において、無線伝送技術は、赤外線、レーザー、ブルートゥース(Bluetooth（登録商標）)、ジグビー(Zigbee（登録商標）)、ＷｉＦｉ等を含む。
【発明の効果】
【００１３】
本発明に係る照明装置及び照明制御システムによれば、１つ或いは複数の下述の長所を有する。
(１)本発明に係る照明制御システムは特殊な設計により有線照明制御システム及び無線照明制御システムが統合され、使用者は状況に応じて有線制御或いは無線制御を選択する方式により照明装置を操作し、これにより一般的な使用者の使用習慣に符合させ、より高い実用性を有する。
(２)本発明に係る照明制御システムは有線照明制御システム及び無線照明制御システムの両者の機能を同時に発揮させ、無線ネットワーク信号が不安定な状況でも、使用者は有線制御方式により照明装置を操作でき、これにより、本発明に係る照明制御システムは極めて高い信頼性を有する。
(３)本発明の特殊な回路設計により有線照明制御システム及び無線照明制御システムが有効的に統合され、両者の長所を兼ね備えて、同時に両者の欠点をも改善させ、使用上より便利になる。
(４)本発明に係る照明装置の無線受信モジュールは分離して電源変換モジュールに連結されるため、無線受信モジュールは照明装置とは別々に販売でき、使用者も必要に合わせて無線受信モジュールを一緒に購入するか、或いは設置させるかを決定でき、より弾力的に使用でき、且つ極めて高い商業的価値がある。
(５) 本発明に係る照明装置の設計はガス放電ランプに応用可能なのみならず、発光ダイオードランプや他のタイプの照明装置にも応用可能であり、応用範囲が極めて広い。
【図面の簡単な説明】
【００１４】
【図１】本発明に係る照明制御システムを示すブロック図である。
【図２】本発明の第１実施形態に係る照明制御システムを示す概念図である。
【図３】本発明の第２実施形態に係る照明制御システムを示す概念図である。
【図４】本発明の第３実施形態に係る照明制御システムを示す概念図である。
【図５Ａ】本発明の第４実施形態に係る照明制御システムを示す第一概念図である。
【図５Ｂ】本発明の第４実施形態に係る照明制御システムを示す第二概念図である。
【発明を実施するための形態】
【００１５】
以下に図面を参照して、本発明を実施するための形態について、詳細に説明する。なお、本発明は、以下に説明する実施形態に限定されるものではない。また、理解を促すため、下述の実施形態中では、同じ部材は同じ符号で標示して説明する。
図１は本発明に係る照明制御システムを示すブロック図である。照明制御システム１は、照明装置１１と、有線制御モジュール１２と、無線制御モジュール１３とを備え、照明装置１１は、電源変換モジュール１１１と、発光モジュール１１２と、無線受信モジュール１１３と、有線受信モジュール１１４とを含む。
【００１６】
電源変換モジュール１１１は無線受信モジュール１１３、発光モジュール１１２及び有線受信モジュール１１４に連結される。また、電源変換モジュール１１１は電源に連結されて電源入力信号ＰＩを受信させ、電源を発光モジュール１１２、無線受信モジュール１１３及び有線受信モジュール１１４に供給させる。有線受信モジュール１１４は有線制御モジュール１２により伝送された第一制御信号Ｃ１を受信させ、第一制御信号Ｃ１を電源変換モジュール１１１が読取可能な信号に変換させ、変換後の第一制御信号Ｃ１を電源変換モジュール１１１に伝送させる。無線制御モジュール１３は各種の無線伝送技術により第二制御信号Ｃ２を伝送させ、無線受信モジュール１１３は第二制御信号Ｃ２を受信させると共に第二制御信号Ｃ２を電源変換モジュール１１１が読取可能な信号に変換させ、且つ変換後の第二制御信号Ｃ２を電源変換モジュール１１１に伝送させる。上述の無線伝送技術は、例えば、赤外線、レーザー、ブルートゥース(Bluetooth（登録商標）)、ジグビー(Zigbee（登録商標）)、及びＷｉＦｉ(WiFi)等を含む。
【００１７】
これにより、使用者は有線制御モジュール１２により有線伝送方式で第一制御信号Ｃ１を有線受信モジュール１１４に伝送させ、電源変換モジュール１１１が読取可能な信号に変換させた後に電源変換モジュール１１１に伝送させ、電源変換モジュール１１１により発光モジュール１１２の制御を行う。また、使用者は無線制御モジュール１３により無線伝送方式で第二制御信号Ｃ２を無線受信モジュール１１３に伝送させ、電源変換モジュール１１１が読取可能な信号に変換させた後に電源変換モジュール１１１に伝送させ、電源変換モジュール１１１により発光モジュール１１２の制御を行う。上述のように、使用者は状況に応じて有線制御モジュール１２或いは無線制御モジュール１３を選択して有線制御方式或いは無線制御方式により発光モジュール１１２のスイッチの入れ切りの制御や、明るさの調整等の操作を行う。
（第１実施形態）
図２は本発明の第１実施形態に係る照明制御システムを示す概念図である。照明制御システム１は、照明装置１１と、有線制御モジュール１２と、無線制御モジュール１３とを備え、照明装置１１は、電源変換モジュールと、発光モジュールと、無線受信モジュール１１３とを含む。前述の実施形態との差異は、本実施形態では、照明装置１１の電源変換モジュールは電子安定器(Electrical Ballast)１１１ａであり、発光モジュールはガス放電ランプ１１２ａである点である。
【００１８】
電子安定器１１１ａは、無線受信モジュール１１３、ガス放電ランプ１１２ａ及び有線受信モジュール１１４に連結される。無線受信モジュール１１３はコネクタにより分離して電子安定器１１１ａに連結され、コネクタは、例えば、ユニバーサルシリアルバス(Universal Serial Bus、USB)インターフェース等である。このほか、ガス放電ランプ１１２ａは、例えば、水銀ランプ、メタルハライドランプ、ナトリウムランプ、蛍光灯、及びキセノンランプ等を含む。当然ながら、上述は例示にすぎず、コネクタ及びガス放電ランプ１１２ａはより多種類の形式をさらに含み、本発明では制限はない。
【００１９】
また、電子安定器１１１ａは電源に連結されて電源入力信号ＰＩを受信させ、電源をガス放電ランプ１１２ａ、無線受信モジュール１１３及び有線受信モジュール１１４に供給させる。有線受信モジュール１１４は有線制御モジュール１２により伝送された第一制御信号Ｃ１を受信させ、第一制御信号Ｃ１を電子安定器１１１ａが読取可能な信号に変換させ、且つ変換後の第一制御信号Ｃ１を電子安定器１１１ａに伝送させる。無線制御モジュール１３は各種の無線伝送技術により第二制御信号Ｃ２を伝送させ、無線受信モジュール１１３により第二制御信号Ｃ２が受信され、且つ第二制御信号Ｃ２を電子安定器１１１ａが読取可能な信号に変換させ、変換後の第二制御信号Ｃ２を電子安定器１１１ａに伝送させる。
【００２０】
同様に、使用者は有線制御モジュール１２により、壁に設置された手動スイッチを利用して有線伝送方式で第一制御信号Ｃ１を有線受信モジュール１１４に伝送させ、電子安定器１１１ａが読取可能な信号に変換させた後に電子安定器１１１ａに伝送させ、電子安定器１１１ａによりガス放電ランプ１１２ａの制御を行う。また、使用者は無線制御モジュール１３により、例えば、携帯電話、ノートパソコン或いはタブレット端末等により、無線伝送方式で第二制御信号Ｃ２を無線受信モジュール１１３に伝送させ、電子安定器１１１ａが読取可能な信号に変換させた後に電子安定器１１１ａに伝送させ、電子安定器１１１ａによりガス放電ランプ１１２ａの制御を行う。このように、上述の設計により、使用者は有線制御或いは無線制御を選択して運用する方式によりガス放電ランプ１１２ａのスイッチの入れ切りの制御や、明るさの調整等の各種の操作を行う。
（第２実施形態）
図３は本発明の第２実施形態に係る照明制御システムを示す概念図である。照明制御システム１は、照明装置１１と、有線制御モジュール１２と、無線制御モジュール１３とを備え、照明装置１１は、電源変換モジュールと、発光モジュールと、無線受信モジュール１１３と、有線受信モジュール１１４とを含む。前述の実施形態との差異は、本実施形態では、照明装置１１の電源変換モジュールは発光ダイオードドライバ１１１ｂであり、発光モジュールは発光ダイオードランプ１１２ｂである点である。
【００２１】
発光ダイオードドライバ１１１ｂは無線受信モジュール１１３、発光ダイオードランプ１１２ｂ及び有線受信モジュール１１４に連結され、且つ伝送線により有線制御モジュール１２に連結される。無線受信モジュール１１３はコネクタにより分離して発光ダイオードドライバ１１１ｂに連結される。
発光ダイオードドライバ１１１ｂは電源に連結されて電源入力信号ＰＩを受信させ、電源を発光ダイオードランプ１１２ｂ、無線受信モジュール１１３及び有線受信モジュール１１４に供給させる。有線受信モジュール１１４は有線制御モジュール１２が伝送させた第一制御信号Ｃ１を受信させ、第一制御信号Ｃ１を発光ダイオードドライバ１１１ｂが読取可能な信号に変換させ、且つ変換後の第一制御信号Ｃ１を発光ダイオードドライバ１１１ｂに伝送させる。無線受信モジュール１１３は無線制御モジュール１３が伝送させた第二制御信号Ｃ２を受信させ、第二制御信号Ｃ２を発光ダイオードドライバ１１１ｂが読取可能な信号に変換させ、且つ変換後の第二制御信号Ｃ２を発光ダイオードドライバ１１１ｂに伝送させる。よって、使用者は状況に応じて有線制御モジュール１２或いは無線制御モジュール１３を選択して使用し、有線制御方式或いは無線制御方式により発光ダイオードランプ１１２ｂのスイッチの入れ切りの制御や、明るさの調整等の操作を行う。
【００２２】
上述したように、本発明に係る照明装置の設計はガス放電ランプに応用されるのみならず、発光ダイオードランプや他のタイプの照明装置にも応用可能である。このため、本発明に係る照明装置の応用範囲は非常に広い。
ちなみに、従来の技術による有線制御システムは壁に設置されたスイッチを手動で操作して照明装置を操作するため、建築物の照明装置の数量が多い場合、使用者にとっては複数の照明装置を素早く効率的に操作するのは難しい。また、従来の技術による無線制御システムでは、複数の照明装置を素早く効率的に操作可能だが、ただし、一般的な使用者の使用習慣に完全に符合させることはできず、実用性に問題があった。反対に、本発明に係る照明制御システムは特殊な設計により有線照明制御システム及び無線照明制御システムが有効的に統合されるため、使用者は状況に応じて有線制御或いは無線制御を選択する方式により照明装置の操作を行う。例えば、使用者が帰宅後に、壁面に設置される照明スイッチにより直接家中の照明装置を点灯させたり、使用者が就寝の準備をする場合に、携帯電話を使用して１度に家中の点灯する全ての照明装置を消灯させたりできる。上述のように、本発明に係る照明制御システムは複数の照明装置を素早く効率的に操作可能であるのみならず、特定の使用状況において一般的な使用者の使用習慣に符合させることができ、これにより、本発明に係る照明制御システムはより高い実用性を有する。
【００２３】
なお、従来の技術による無線制御システムは、無線ネットワーク信号が不安定になりやすく、この場合、使用者は全ての照明装置を操作不能になり、信頼性が大きく損なわれる。反対に、本発明に係る照明制御システムでは、有線照明制御システム及び無線照明制御システムの両者の機能を同時に発揮するため、無線ネットワーク信号が不安定になっても、使用者は有線制御方式により照明装置を操作できる。このため、本発明に係る照明制御システムはより高い信頼性を提供する。
【００２４】
また、本発明に係る照明装置の無線受信モジュールはコネクタにより分離して電源変換モジュールに連結されるため、無線受信モジュールを照明装置とは別にして販売することができ、使用者は実際の需要に基づいて無線受信モジュールを購入するか否か決定できる。ゆえに、本発明に係る照明装置は市場の要求にも符合し、極めて高い商業的価値を有する。上述のように、本発明は革新性を有した特許案件である。
（第３実施形態）
図４は本発明の第３実施形態に係る照明制御システムを示す概念図である。照明制御システム１は、照明装置１１と、有線制御モジュール１２と、無線制御モジュール１３とを備え、照明装置１１は、電源変換モジュール１１１と、発光モジュール１１２と、無線受信モジュール１１３と、有線受信モジュール１１４とを含む。本実施形態を例に電源変換モジュール１１１の設計の１つを説明すると、電源変換モジュール１１１は処理ユニット１１１１及び電源回路ユニット１１１２を備える。処理ユニット１１１１は、例えば、マイクロコントローラー(Microcontroller Unit、MCU)等である。
【００２５】
電源回路ユニット１１１２は処理ユニット１１１１、発光モジュール１１２、無線受信モジュール１１３及び有線受信モジュール１１４にそれぞれ連結される。無線受信モジュール１１３はコネクタにより分離して電源変換モジュール１１１の処理ユニット１１１１に連結される。有線受信モジュール１１４は有線制御モジュール１２に連結される。
電源変換モジュール１１１の電源回路ユニット１１１２は電源に連結されて電源入力信号ＰＩを受信させ、電源を発光モジュール１１２、無線受信モジュール１１３、有線受信モジュール１１４及び処理ユニット１１１１に供給させる。有線受信モジュール１１４は有線制御モジュール１２により伝送された第一制御信号Ｃ１を受信させ、第一制御信号Ｃ１を処理ユニット１１１１が読取可能な信号に変換させ、且つ変換後の第一制御信号Ｃ１を処理ユニット１１１１に伝送させる。無線制御モジュール１３は各種の無線伝送技術により第二制御信号Ｃ２を伝送させ、無線受信モジュール１１３により第二制御信号Ｃ２を受信させ、第二制御信号Ｃ２を電源変換モジュール１１１の処理ユニット１１１１が読取可能な信号に変換させ、且つ変換後の第二制御信号Ｃ２を電源変換モジュール１１１の処理ユニット１１１１に伝送させる。よって、処理ユニット１１１１により制御信号ＣＳが電源回路ユニット１１１２に伝送され、電源回路ユニット１１１２によりフィードバック信号ＦＳが処理ユニット１１１１に伝送され、処理ユニット１１１１は電源回路ユニット１１１２により第一制御信号Ｃ１及び第二制御信号Ｃ２に基づいて発光モジュール１１２の制御を行う。
【００２６】
これにより、使用者は有線制御モジュール１２により有線伝送方式で第一制御信号Ｃ１を有線受信モジュール１１４に伝送させ、電源変換モジュール１１１の処理ユニット１１１１が読取可能な信号に変換させた後、電源変換モジュール１１１の処理ユニット１１１１に伝送させ、発光モジュール１１２の制御を行う。同時に、使用者は無線制御モジュール１３により無線伝送方式で第二制御信号Ｃ２を無線受信モジュール１１３に伝送させ、電源変換モジュール１１１の処理ユニット１１１１が読取可能な信号に変換させた後、電源変換モジュール１１１の処理ユニット１１１１に伝送させ、発光モジュール１１２の制御を行う。
（第４実施形態）
図５Ａ及び図５Ｂは本発明の第４実施形態に係る照明制御システムをそれぞれに示す第一及び第二概念図である。本実施形態では、本発明に係る照明制御システムの実際の使用状況の説明を加える。図５Ａに示すように、使用者が帰宅後、壁面の照明スイッチＡを直接操作し、有線制御方式で家中の照明装置を点灯させる。深夜になると、使用者は就寝の準備のさいに、ノートパソコンＢを使用して無線制御方式により１度で家中の点灯する全て照明装置を消灯させる。上述のように、本発明に係る照明制御システムは有線照明制御システム及び無線照明制御システムが統合され、両者の長所を兼ね備え、且つ両者の欠点をも改善させ、一般的な使用者の使用習慣に符合させて、本発明に係る照明制御システムはさらに高い実用性を有する。
【００２７】
上述のとおり、本発明に係る照明制御システムは特殊な設計により有線照明制御システム及び無線照明制御システムが統合され、使用者が状況に応じて有線制御或いは無線制御を選択する方式により照明装置を操作できる。これにより、一般的な使用者の使用習慣に符合させて、より高い実用性を有する。
そして、本発明に係る照明制御システムは有線照明制御システム及び無線照明制御システムの両者の機能を同時に発揮できるため、無線ネットワーク信号が不安定な状況でも、使用者は有線制御方式により照明装置を操作できる。このため、本発明に係る照明制御システムはより高い信頼性を提供する。
【００２８】
なお、本発明の特殊な回路設計により有線照明制御システム及び無線照明制御システムが有効的に統合され、使用者は同時に有線制御及び無線制御方式を利用して照明装置を制御でき、両者の長所を兼ね備えるのみならず、同時に両者の欠点をも改善させ、使用がさらに便利になる。
このほか、本発明に係る照明装置の無線受信モジュールは分離して電源変換モジュールに連結されるため、無線受信モジュールは照明装置とは別々に販売でき、使用者も必要に応じて無線受信モジュールを一緒に購入するか、或いは設置するかを決定でき、より弾力的に使用でき、極めて高い商業的価値を有する。
【００２９】
さらに、本発明に係る照明装置の設計はガス放電ランプに応用されるのみならず、発光ダイオードランプ或いは他のタイプの照明装置にも応用可能であり、応用範囲が広い。
以上、本発明の実施形態について図面を参照して詳述したが、具体的な構成はこの実施形態に限られるものではなく、本発明の要旨を逸脱しない範囲の設計変更等も含まれる。
【符号の説明】
【００３０】
１  照明制御システム
１１  照明装置
１１１  電源変換モジュール
１１１ａ  電子安定器
１１１ｂ  発光ダイオードドライバ
１１１１  処理ユニット
１１１２  電源回路ユニット
１１２  発光モジュール
１１２ａ  ガス放電ランプ
１１２ｂ  発光ダイオードランプ
１１３  無線受信モジュール
１１４  有線受信モジュール
１２  有線制御モジュール
１３  無線制御モジュール
Ｃ１  第一制御信号
Ｃ２  第二制御信号
ＣＳ  制御信号
ＦＳ  フィードバック信号
ＰＩ  電源入力信号
Ａ  照明スイッチ
Ｂ  ノートパソコン
【図１】
2016096145.tif 000003
【図２】
2016096145.tif 000004
【図３】
2016096145.tif 000005
【図４】
2016096145.tif 000006
【図５Ａ】
2016096145.tif 000007
【図５Ｂ】
2016096145.tif 000008